(57)【特許請求の範囲】
【請求項１】
紐で束ねられた古紙類を収納するホッパーと、該ホッパーを通過する前記古紙類に巻き付けた紐を切断又はひねり外して除去する紐除去部と、除去した前記紐を巻き取って回収する紐回収部と、前記紐が除去された古紙類を搬送するコンベアとを備えた紐取り装置であって、
前記紐回収部は、一方端が開口部となった切り割り部を有する片持ち支持の回転軸と、該回転軸の前記切り割り部に嵌入して該回転軸の外側に突出する紐取り部材と、該紐取り部材の半径方向外部に設けられた複数の紐掛け部材とを有することを特徴とする紐取り装置。
【請求項２】
請求項１記載の紐取り装置において、前記片持ち支持の回転軸は、巻き付いた紐が簡単に抜けるようにテーパー状の片持ち筒体からなり、前記紐取り部材が前記切り割り部の一方端の開口部から着脱可能に嵌入していることを特徴とする紐取り装置。
【請求項３】
請求項１記載の紐取り装置において、前記紐除去部は、回転軸の周囲に刃物を設けた回転刃と、該回転刃に対向して進退可能に設けられた押し付け部材と、該押し付け部材を前記回転刃方向に押し付けるスプリングとを備えたことを特徴とする紐取り装置。
【請求項４】
請求項３記載の紐取り装置において、前記刃物は前記紐除去部の回転軸の軸方向に隙間を設けて複数枚取付けられ、前記押し付け部材は先部が山形状に形成された複数の立て板を有し、しかも該複数の立て板は隣り合う前記回転刃の間にそれぞれ配置されていることを特徴とする紐取り装置。
【請求項５】
請求項４記載の紐取り装置において、個々の前記刃物は、環状基材の周囲に複数の突出刃からなっていることを特徴とする紐取り装置。
【発明の詳細な説明】
【０００１】
【発明の属する技術分野】
本発明は、新聞、雑誌等の古紙類をリサイクルするために、束ねた古紙類に巻き付けた紐を除去する紐取り装置に関する。
【０００２】
【従来の技術】
従来、古紙類はリサイクルのために、各家庭や事務所などで古紙類をビニールなどの紐で束ねた状態で回収し、トラックなどに積み込んで古紙処理工場に搬送され、新聞紙、雑誌、その他の紙類などに分類されて製紙工場に送られる。ところが、新聞紙や雑誌などの紙原料にビニール紐などの樹脂系の材料が不純物として混じると良質の紙が再生されないので、古紙処理工場では前工程として紙原料と樹脂系の材料を分別し、紙原料だけを集めて再生処理している。そのため、人手によって古紙類に巻き付けられたビニールなどの紐をナイフなどで切断したり、コンベアでの搬送途中で、例えば回転式カッターを紐に当てて切断している。
また、切断したあとの紐を古紙類の束から人手で取り去ったり、コンベア上に残った紐をコンベア端部から紐入れ箱の中に落下させたりして切断した紐を回収し、紙原料だけを集めてプレスによってブロックに形成して製紙工場に搬送している。
【０００３】
【発明が解決しようとする課題】
しかしながら、上記従来の方法では、紐を人手によってナイフなどで切っているので、紐の切断作業に多くの人手と時間がかかり、そのあとの紐の回収も人手を使っているので、古紙類からの紙のリサイクル工程全体が捗らず、また、作業者がナイフを常に使用するので、安全管理上多くの手間を要し、紐の除去作業に多くの費用がかかっていた。コンベアで搬送途中で紐を切断する場合も、紐の切断や、切断した紐の回収に多くの手間がかかり、ときには古紙類の中に紐の取り残しが出るなどの問題があった。
本発明はこのような事情に鑑みてなされたもので、古紙類に巻き付けた紐を除去し、切断した紐を効率的に、しかも迅速に古紙類の束から回収する紐取り装置を提供することを目的とする。
【０００４】
【課題を解決するための手段】
前記目的に沿う本発明に係る紐取り装置は、紐で束ねられた古紙類を収納するホッパーと、ホッパーを通過する古紙類に巻き付けた紐を切断又はひねり外して除去する紐除去部と、除去した紐を巻き取って回収する紐回収部と、紐が除去された古紙類を搬送するコンベアとを備えた紐取り装置であって、
紐回収部は、一方端が開口部となった切り割り部を有する片持ち支持の回転軸と、回転軸の切り割り部に嵌入して回転軸の外側に突出する紐取り部材と、紐取り部材の半径方向外部に設けられた複数の紐掛け部材とを有する。
この場合、切断又はひねり取外されて古紙類の束から除去された紐は、回転軸の外側に突出する紐取り部材に設けられた複数の紐掛け部材に絡みつき、回転する紐取り部材に巻き付くので、効率的に、しかも迅速に古紙類の束から回収することができる。
【０００５】
本発明に係る紐取り装置において、紐除去部は、回転軸の周囲に刃物を設けた回転刃と、回転刃に対向して進退可能に設けられた押し付け部材と、押し付け部材を回転刃方向に押し付けるスプリングとを備えることもできる。
これにより、ホッパーを通過した古紙類の束は、回転刃と押し付け部材との間に入り込み、古紙類の束が厚いときには、古紙類によって、例えば一つの、又は複数に分割された押し付け部材がスプリングの力に抗して押しつけられて回転刃と押し付け部材との間が広がり、古紙類の束が薄いときには、スプリングの力が押し付け部材を押し付けて、回転刃と押し付け部材との間が近づく。このように、古紙類の束の厚みに応じて回転刃と押し付け部材との間が紐の切断又はひねり取外しに適した長さに変化する。したがって、古紙類の束が適度に押し付け部材によって回転刃と押し付け部材との間に押し付けられて、古紙類に巻き付けた紐を回転刃が切断又はひねり取外しによって除去するので、確実に、しかも自動的に紐を除去することができる。
【０００６】
【発明の実施の形態】
続いて、添付した図面を参照しつつ、本発明を具体化した実施の形態につき説明し、本発明の理解に供する。
ここに、図１は本発明の一実施の形態に係る紐取り装置の側面図、図２は同紐取り装置の正面図、図３（Ａ）、（Ｂ）はそれぞれ同紐取り装置の紐回収部を示す側面図、正面図である。
【０００７】
図１及び図２に示すように、本発明の一実施の形態に係る紐取り装置１０は、平面視して四角形に梁部２１を形成し、その四隅の下方にそれぞれ伸びる柱部２２を設け、柱部２２の下部にそれぞれ車輪２３を設けて移動可能な架台２０を備えている。架台２０の上部には、新聞紙、雑誌、その他の紙をビニールなどの紐１２で巻き付けて束にした古紙類１１を投入するホッパー２４を設け、ホッパー２４の下部には紐除去部３０を収納するケーシング３１を結合している。このケーシング３１の内側上部にはホッパー２４からの古紙類１１の供給量を調整するダンパー３２を設けている。ダンパー３２の下方には回転軸４０を水平に配置し、その両端部をケーシング３１の側壁に軸受３３を介して回転自在に支持し、回転軸４０の一方端部をケーシング３１の外側に突出させて、その端部にプーリ４１を取付けている。プーリ４１は架台２０に取付けた駆動モータ４２によってベルト４３を介して回転され、回転軸４０が回転するようにしている。
【０００８】
回転軸４０の外周には、軸方向に間隔を開けて複数（図１では９個）の環状基材４４を固定し、環状基材４４の周囲には例えば２〜３分割された複数の突出刃からなる刃物４５を固定して回転刃４６を形成している。また、回転刃４６に対向して押し付け部材５０を配置し、回転刃４６に対向する面に凹面５１を形成している。押し付け部材５０の背面の上部は、ケーシング３１の内側に支持ピン５２を介して傾動しうるように軸支されし、回転刃４６に対して進退可能にしている。なお、押し付け部材５０は回転軸４０の軸方向に２分割して、それぞれが独立して傾動しうるようにしている。なお、押し付け部材５０は軸方向に３分割など、複数分割してもよい。押し付け部材５０の凹面５１には、先部が山形状に形成された複数（図１では１０枚）の立て板５３を回転軸４０に対して垂直方向に向けて設け、しかも複数の立て板５３は隣り合う回転刃４６の間と両端の回転刃４６の外側にそれぞれ配置されている。押し付け部材５０の背面とケーシング３１の内側との間には、押し付け部材５０を回転刃４６の方向に押し付けるスプリング５４を備えている。これらの回転刃４６と、押し付け部材５０と、スプリング５４とによって、古紙類１１に巻き付けた紐１２を除去する紐除去部３０が構成されている。
【０００９】
ケーシング３１の下部には紐回収部６０を収納するケーシング６１を結合している。紐回収部６０は、軸受６２を介してケーシング６１の内側に２本の片持ち支持の回転軸７０を設け、各回転軸７０は駆動モータ６３に連結されて互いに反対方向に回転駆動されるようにしている。
図３（Ａ）、（Ｂ）に示すように、回転軸７０は、外周面がテーパー状の片持ち筒体からなり、一方端に開口部を有する切り割り部７１を設けて、開口部から着脱可能に嵌入させた紐取り部材７２を回転軸７０の外側に突出させている。紐取り部材７２の半径方向外部には軸方向に間隔を開けて複数の突起部７３を設け、各突起部７３には取付孔７４を設けている。取付孔７４には両端部にネジを切ったボルト７５を挿入して紐取り部材７２の両面に突出させ、回り止めしたナット７６によってボルト７５を紐取り部材７２に取付けて紐掛け部材７７を形成している。なお、紐取り部材７２には回転軸７０の内周に嵌入するガイド片７８を設けて半径方向の位置決めをして、しかも紐取り部材７２が回転軸７０から簡単に外れないようにしている。
【００１０】
２本の回転軸７０の下方には、各回転軸７０に対してそれぞれ平行に、しかも間隔を開けてそれぞれ２本の自由に回転しうる受けローラ７９を設けて、紐取り部材７２に当たって落下する古紙類１１を受け止め、古紙類１１の中に混じっている紐１２が紐掛け部材７７に絡まるようにしている。ケーシング６１の回転軸７０の端部に対向する側面には、紐取り部材７２を取り出すことができる開口部６４を設け、蓋６５により開口部６４を塞いでいる。ケーシング６１の上部には古紙類１１や紐１２がケーシング３１から落下して回転軸７０に向かって集中するように、スカート６６を設けている。ケーシング６１の下方には、バラバラになって落下した古紙類１１を外部に搬出するコンベア８０を設け、コンベア８０の上部にはケーシング６１から落下する古紙類１１がコンベア８０から落ちこぼれないように、スカート８１を設けている。コンベア８０の下部には車輪８２を設け、移動可能にしている。
なお、回転軸７０は２本に限るものではなく、古紙類１１の処理量に応じて増やしてもよく、また受けローラ７９も古紙類１１の処理量や紐１２の回収状況に応じて増減してもよい。
【００１１】
ここで、紐取り装置１０の動作について説明する。
先ず、ホッパー２４に投入された紐１２が巻き付いている古紙類１１は、ホッパー２４の下部からケーシング３１に落とされ、紐除去部３０のダンパー３２によって供給量が調節されて回転軸４０と押し付け部材５０との間に入り込む。このとき、回転軸４０が可変速の駆動モータ４２によって例えば１８ｒｐｍ程度の速度で回転され、回転軸４０に取付けられた回転刃４６が回転して古紙類１１に巻き付けた紐１２を切断する。紐１２が切断できなかった古紙類１１の束は、押し付け部材５０によって回転軸４０や回転刃４６に押し付けられ、古紙類１１が山形状の立て板５３に引っ掛かって、古紙類１１の束はひねられ、古紙類１１に巻き付けられた紐１２は回転刃４６と立て板５３との間で揉み切られたりひねり外されたりする。紐１２が切断されたりひねり取られて束が解かれた古紙類１１は紐１２と共に回転軸４０と押し付け部材５０との間を通ってケーシング３１からケーシング６１に落下する。このとき、古紙類１１の厚みが大きいときは、押し付け部材５０が古紙類１１に押し付けられて支持ピン５２を介して傾動し、回転刃４６と押し付け部材５０との間が広がる。古紙類１１の厚みが薄いときは、押し付け部材５０の背面に設けたスプリング５４によって押し付け部材５０が押し返えされ、回転刃４６と押し付け部材５０との間に落下する古紙類１１の厚みに応じて紐１２が切断又はひねり取られるのに適した隙間ができるようにしている。
【００１２】
ケーシング６１に落下した古紙類１１と紐１２は、紐回収部６０の回転する回転軸７０に取付けられた紐取り部材７２に当たり、古紙類１１はバラバラになって下方に落下する。紐１２は紐取り部材７２に設けられた紐掛け部材７７に絡みつき、回転軸７０の回転によって紐取り部材７２に巻き付く。落下した古紙類１１は更に受けローラ７９に受け止められ、受けローラ７９によって古紙類１１が撒き散らされる。そのため、古紙類１１の中に混じっている紐１２が飛び出して紐掛け部材７７に絡みつき、紐取り部材７２に巻き取られる。受けローラ７９から落下した古紙類１１はケーシング６１の下方に設けたコンベア８０によって外部に搬出される。
【００１３】
紐取り部材７２に巻き付いた紐１２が、紐掛け部材７３に絡みつきが悪くなる程度に太く巻き付いたときに、紐取り装置１０の運転を止めて蓋６５を外し、開口部６４を開けて回転軸７０から紐１２が巻き付いた紐取り部材７２を抜き取る。このとき、紐１２が紐取り部材７２に巻き付いており、紐１２によって紐取り部材７２と回転軸７０が固く締められて外し難くなるが、回転軸７０は外周面がテーパー状に形成されているので、紐取り部材７２を軸方向に軽くハンマーなどで叩くことにより締め付けが弛み、簡単に回転軸７０から紐取り部材７２を外すことができる。紐１２が巻き付いた紐取り部材７２を抜き取った後は、紐を除去した別の紐取り部材７２を回転軸７０の切り割り部７１に嵌入させて紐取り作業を継続する。なお、紐取り部材７２に巻き付いた紐１２は、別の図示しないカッターを紐取り部材７２の長手方向に沿って動かすことにより、簡単に紐１２を切断して回収することができる。
【００１４】
【発明の効果】
請求項１〜５記載の紐取り装置においては、紐回収部は、切り割り部を有する片持ち支持の回転軸と、回転軸の切り割り部に嵌入して回転軸の外側に突出する紐取り部材と、紐取り部材の半径方向外部に設けられた複数の紐掛け部材とを有しているので、除去されて古紙類の束から外された紐は、回転軸の外側に突出する紐取り部材に設けられた複数の紐掛け部材に絡まり、回転する紐取り部材に巻き付き、人手に頼ることなく効率的に、しかも迅速に古紙類の束から回収することができる。
特に、請求項２記載の紐取り装置においては、回転軸は、テーパー状の片持ち筒体からなり、紐取り部材が切り割り部の一方端の開口部から着脱可能に嵌入しているので、紐が絡んで巻き付いた紐取り部材を回転軸から簡単に取外すことができ、紐の回収作業が容易となる。
【００１５】
請求項３〜５記載の紐取り装置においては、紐除去部は、回転軸の周囲に刃物を設けた回転刃と、回転刃に対向して進退可能に設けられた押し付け部材と、押し付け部材を回転刃方向に押し付けるスプリングとを備えている。したがって、古紙類の束が適度に回転刃と押し付け部材との間に押し付けられて、古紙類に巻き付けた紐を回転刃が切断したり、回転刃と押し付け部材との間に押し付けられてひねり取られたりするので、確実に、しかも人手に頼ることなく自動的に紐を除去することができ、安全で安価な古紙類の紐取り装置を提供することができる。
【００１６】
請求項４記載の紐取り装置においては、刃物は回転軸の軸方向に隙間を設けて複数枚取付けられ、押し付け部材は先部が山形状に形成された複数の立て板を有し、しかも複数の立て板は隣り合う回転刃の間にそれぞれ配置されているので、古紙類が山形状の立て板に引っ掛かって、古紙類の束はひねられ、古紙類に巻き付けられた紐は揉み切られたり外されて、紐は確実に除去される。
請求項５記載の紐取り装置においては、個々の刃物は、環状基材の周囲に複数の突出刃からなっているので、刃物の取付取外しが容易となり、メンテナンスのための工数を少なくすることができる。
【図面の簡単な説明】
【図１】本発明の一実施の形態に係る紐取り装置を示す側面図である。
【図２】同紐取り装置を示す正面図である。
【図３】（Ａ）、（Ｂ）はそれぞれ同紐取り装置の紐回収部を示す側面図及び正面図である。
【符号の説明】
１０：紐取り装置、１１：古紙類、１２：紐、２０：架台、２１：梁部、２２：柱部、２３：車輪、２４：ホッパー、３０：紐除去部、３１：ケーシング、３２：ダンパー、３３：軸受、４０：回転軸、４１：プーリ、４２：駆動モータ、４３：ベルト、４４：環状基材、４５：刃物、４６：回転刃、５０：押し付け部材、５１：凹面、５２：支持ピン、５３：立て板、５４：スプリング、６０：紐回収部、６１：ケーシング、６２：軸受、６３：駆動モータ、６４：開口部、６５：蓋、６６：スカート、７０：回転軸、７１：切り割り部、７２：紐取り部材、７３：突起部、７４：取付孔、７５：ボルト、７６：ナット、７７：紐掛け部材、７８：ガイド片、７９：受けローラ、８０：コンベア、８１：スカート、８２：車輪
【図１】
0004427121.tif 000002
【図２】
0004427121.tif 000003
【図３】
0004427121.tif 000004